(57)【特許請求の範囲】
【請求項１】
先端部が飲料パックに設けたストロー用の開口に差し込まれるパイプ状のアダプタ本体部材と、
前記飲料パックの開口と略同一径の貫通孔を有し、当該貫通孔と前記開口とを位置合わせした状態で前記飲料パックに接着可能であり、前記貫通孔によって前記アダプタ本体部材の先端部を受容する接着部材と、
前記アダプタ本体部材に設けた前記先端部の根本側の周囲に形成される第１係止部と、前記接着部材に設けた前記貫通孔の周囲に形成され前記第１係止部に係止可能な第２係止部とを有し、前記先端部が前記貫通孔を介して前記開口に差し込まれた状態で前記アダプタ本体部材を前記接着部材に対して液密かつ着脱自在に固定する固定手段と
を備える飲料パック用アダプタであって、
前記固定手段は、前記第１及び第２係止部が互いに係止された際に、前記接着部材の前記貫通孔の所定位置と前記アダプタ本体部材の前記先端部の対応位置とを密着させる環状のシール部を備え、
前記アダプタ本体部材に設けた前記先端部の根本側に残液排出用の排出口若しくは排出溝を設け、
前記アダプタ本体部材の部分として、前記先端部の反対側にチューブに着脱自在に接続するためのジョイント部と、前記先端部の根本側から半径方向外側に延びる鍔部と当該鍔部の外縁から先端側に延び前記第１係止部を内側に設けたカラーとを有する環状部材とを有することを特徴とする飲料パック用アダプタ。
【請求項２】
請求項１記載の飲料パック用アダプタと、
前記アダプタ本体部材に一端が接続されるチューブ状の連結部材と、
当該連結部材の他端に接続されるカテーテルと
を備える飲料供給器具。
【発明の詳細な説明】
【０００１】
【発明の属する技術分野】
本発明は、ブリックパック等の市販飲料パック中の飲料を直接カテーテル等に供給するための飲料パック用アダプタ及びこれを用いた飲料供給器具に関する。
【０００２】
【従来の技術】
病院の患者や、虚弱者、過度に疲労した者に適切な栄養補給等を行なう目的で直方体形状のブリックパックにつめた栄養飲料が販売されている。患者や虚弱者は、ブリックパックの開口にストローを刺し込んで栄養飲料を吸引することで、栄養飲料を経腸摂取することができる。
【０００３】
上記のようなブリックパックは、ある程度体力があって起き上がることのできる患者等を前提として製造されているため、例えば経口摂取困難な患者や乳児は、このブリックパックに充填したままでは栄養飲料を摂取することができない。このため、医師や看護婦は、ブリックパックの栄養飲料を一旦経鼻投与器具に移し替えた後に、この経鼻投与器具から患者や乳児に栄養飲料を投与している。すなわち、ブリックパック中の栄養飲料を経鼻投与器具のバッグに移し替え、このバッグを適当な高さに吊し、バッグ下部から延びるチューブの先端に設けたカテーテルを臥した状態の患者や乳児の鼻孔から胃や腸まで挿入して栄養飲料を適宜投与する。
【０００４】
【発明が解決しようとする課題】
しかし、ブリックパック中の栄養飲料を一旦バッグに移すことは、医療や介護の作業性を低下させる。また、ブリックパックからバッグに移す際に、栄養飲料が有害な細菌や薬品にさらされる可能性があり、衛生管理上も好ましくない。
【０００５】
そこで、本発明は、医療や介護の作業性を高め、衛生管理上の観点からも適切な栄養飲料の摂取を可能にする飲料パック用アダプタ及びこれを用いた飲料供給器具を提供することを目的とする。
【０００６】
【課題を解決するための手段】
上記課題を解決するため、本発明の飲料パック用アダプタは、先端部が飲料パックの開口に差し込まれるパイプ状のアダプタ本体部材と、前記飲料パックに設けたストロー用の開口と略同一径の貫通孔を有し、当該貫通孔と前記開口とを位置合わせした状態で前記飲料パックに接着可能であり、前記貫通孔によって前記アダプタ本体部材の先端部を受容する接着部材と、前記アダプタ本体部材に設けた前記先端部の根本側の周囲に形成される第１係止部と前記接着部材に設けた前記貫通孔の周囲に形成され前記第１係止部に係止可能な第２係止部とを有し前記先端部が前記貫通孔を介して前記開口に差し込まれた状態で前記アダプタ本体部材を前記接着部材に対して液密かつ着脱自在に固定する固定手段とを備える。なお、アダプタ本体部材の先端部は、飲料パックの開口を封止しているフィルムに穿孔するための先鋭端部とすることができる。
【０００７】
上記飲料パック用アダプタでは、アダプタ本体部材の先端部が接着部材の貫通孔を介して飲料パックに設けたストロー用の開口に差し込まれるので、パイプ状のアダプタ本体部材を介して例えば市販の飲料パック中の栄養飲料等を外部に吐出させることができる。さらに、固定手段によって、開口に差し込まれた状態のアダプタ本体部材を接着部材に対して液密かつ着脱自在に固定するので、飲料パックを上下逆さまにした場合であっても、飲料パックの開口すなわちアダプタ本体部材の周囲から飲料パック中の栄養飲料等が漏れ出すことを防止することができる。よって、アダプタ本体部材にチューブを介してカテーテルを接続すれば、飲料パック中の栄養飲料等を下方に位置するカテーテルの先端から吐出させることができる。ここで、カテーテルを患者等の例えば鼻孔から挿入しておけば、臥した状態の患者等に栄養飲料等を適宜経腸投与することができる。つまり、飲料パックからバッグに移すことなく患者等に栄養飲料等を適宜投与することができるので、栄養飲料等の投与の作業性を高めることができ、有害な細菌等の混入を防止して栄養飲料等の衛生的摂取が可能になる。
【０００８】
ここで、飲料パックとは、各種飲料を収納する自立型の飲料容器を意味し、通常は直方体形状を有する。このような飲料パックには、ビタミン、ミネラル等の多様な栄養素を含有する所謂栄養飲料のみならず、漢方を含む各種の医薬を含有する経腸摂取用飲料が、用途に応じて適宜収容される。
【０００９】
上記飲料パック用アダプタの具体的な態様では、前記固定手段が、前記第１及び第２係止部が互いに係止された際に、前記接着部材の前記貫通孔の所定位置と前記アダプタチューブの前記先端部の対応位置とを密着させる環状のシール部を備える。この場合、このような環状のシール部によりアダプタ本体部材と接着部材とを簡易かつ着脱自在に液密に固定することができる。
【００１０】
また、上記アダプタの具体的な態様では、前記アダプタ本体部材に設けた前記先端部の根本側に残液排出用の排出口若しくは排出溝を設けている。この場合、このような排出口若しくは排出溝によって、飲料パック中の栄養飲料等を無駄なく使い切ることができる。
【００１１】
また、上記アダプタの具体的な態様では、前記アダプタ本体部材が、前記先端部の反対側にチューブに着脱自在に接続するためのジョイント部を備える。この場合、このようなジョイント部に対しカテーテルに連結されたチューブを簡易に接続・分離することができるので、飲料パック及び飲料パック用アダプタを交換しつつ患者等に種々の飲料を投与することができる。なお、前記アダプタ本体部材は、その部分として、先端部やジョイント部のほか、前記先端部の根本側から半径方向外側に延びる鍔部と当該鍔部の外縁から先端側に延び前記第１係止部を内側に設けたカラーとを有する環状部材を備える。
【００１２】
また、上記アダプタの具体的な態様では、上述の飲料パック用アダプタと、このアダプタ本体部材に一端が接続されるチューブ状の連結部材と、当該連結部材の他端に接続されるカテーテルとを備える。この場合も、飲料パックからバッグに移すことなく臥した状態の患者等に栄養飲料等を適宜投与することができるので、栄養飲料等の投与の作業性を高めることができ、有害な細菌等の混入を防止して栄養飲料等の衛生的摂取が可能になる。
【００１３】
【発明の実施の形態】
以下、図面を参照して、本発明の実施形態に係る飲料パック用アダプタ及び飲料供給器具について説明する。
〔第１実施形態〕
図１は、第１実施形態の飲料パック用アダプタの構造を説明する分解斜視図である。飲料パック用アダプタ１０は、外形が直方体で自立型の飲料容器である飲料パック２０に取り付けられる。この飲料パック用アダプタ１０は、先端部が飲料パック２０の開口２１に差し込まれるパイプ状のアダプタ本体１２と、飲料パック２０に接着されてアダプタ本体１２の先端部を受容する連結部材１４とを備える。なお、アダプタ本体１２の上端は、他端側でカテーテルに接続されるチューブ３０に接続される。
【００１４】
飲料パック２０は、ブリックパック、テトラパック等と呼ばれて市販されているものである。この場合、飲料パック２０には、患者等に適切な栄養補給を行なうための栄養飲料が充填されている。飲料パック２０自体は、内側にポリエチレン等の樹脂材をコートした厚紙からなり、表面にもポリエチレン等の樹脂材を被覆したりワックスをコートしている。上面に形成された円形の開口２１は、ストローの差し込み口（ストロー穴）となっており、フィルム２１ａによって封止されている。なお、このフィルム２１ａは、吸引用に付属するストロー（図示を省略）の端部に設けた鋭利なエッジ部によって穿孔可能になっている。
【００１５】
飲料パック用アダプタ１０のうちアダプタ本体１２は、飲料パック２０の開口２１に設けたフィルム２１ａに穿孔するための先鋭端部１２ａと、この先鋭端部１２ａの根本側の周囲に設けられて連結部材１４の筒状部１４ａと締結される環状部材１２ｂと、先鋭端部１２ａの反対側に設けられてチューブ３０に着脱自在に接続されるジョイント部１２ｃとを備える。ここで、環状部材１２ｂの外周壁の内面側には、締結用の雌ねじ（不図示）が形成されている。なお、アダプタ本体１２は、ポリプロピレン、ポリエチレンなどのポリオレフィン、ポリカーボネート、ポリスチレンなどの半硬質材料から射出成形によって形成される。
【００１６】
飲料パック用アダプタ１０のうち連結部材１４は、飲料パック２０の開口２１と同一径の円形の貫通孔１４ｈを有する筒状の筒状部１４ａと、筒状部１４ａの下端から周囲方向に延びる接着用のフランジ部１４ｂとを有する。ここで、筒状部１４ａの貫通孔１４ｈの内径は、先鋭端部１２ａの外径よりもわずかに大きくなっており、貫通孔１４ｈ中に先鋭端部１２ａを挿入できるようになっている。また、貫通孔１４ｈの内径は、飲料パック２０の開口２１の内径と概ね等しくなっている。筒状部１４ａの側面、すなわち貫通孔１４ｈの周囲には、３条のねじ山からなる雄ねじ１４ｓが形成されている。この雄ねじ１４ｓを構成する各ねじ山は、軸方向の長さに換算して約１ピッチに相当する長さを有しており、筒状部１４ａの側面の３領域に別々に形成されている。なお、雄ネジ１４ｓのピッチや巻き数は、連結部材１４のサイズ等を考慮して適宜変更することができる。フランジ部１４ｂには、貫通孔１４ｈの近傍を除いてフランジ部１４ｂのほぼ裏面全体に粘着材層１４ｃが形成されている。この粘着材層１４ｃにより、貫通孔１４ｈと開口２１とを位置合わせした状態で連結部材１４を飲料パック２０に固定することができる。なお、連結部材１４の材料も、ポリプロピレン、ポリエチレンなどのポリオレフィン、ポリカーボネート、ポリスチレンなどの半硬質材料から射出成形によって形成される。
【００１７】
チューブ３０は、可撓性を有する連結部材を構成し、例えば市販の輸液セットの一部を流用することができる。チューブ３０の一端３０ａは、ジョイント部１２ｃをある程度以上の力で挿入する際の弾性嵌めによってアダプタ本体１２との間で液密な連結を可能にし、その他端（図示を省略）は、患者の鼻孔等に挿入されるカテーテルに液密に連結される。なお、この一端３０ａは、一定以上の力でジョイント部１２ｃから分離することができるので、飲料パック２０及びアダプタ本体１２を一体として交換することができる。つまり、ジョイント部１２ｃを一端３０ａから引抜き、別に用意した飲料パック２０にアダプタ本体１２を取り付けて、その新たなジョイント部１２ｃをチューブ３０の一端３０ａと接続することができる。
【００１８】
以上の説明において、アダプタ本体１２のうち先鋭端部１２ａやジョイント部１２ｃは、アダプタ本体部材を構成する。また、連結部材１４すなわち筒状部１４ａやフランジ部１４ｂは、接着部材を構成する。さらに、アダプタ本体１２の環状部材１２ｂと連結部材１４の筒状部１４ａとは、固定手段を構成する。
【００１９】
図２は、飲料パック用アダプタ１０を飲料パック２０に固定した状態を説明する側方断面図である。
【００２０】
アダプタ本体１２を飲料パック２０に液密に固定するための連結部材１４は、粘着材層１４ｃによって開口２１の周囲に密着して固定されている。この際、貫通孔１４ｈと開口２１とは、互いに位置合わせされて上下に重ね合わせて配置される。
【００２１】
アダプタ本体１２の先鋭端部１２ａは、パイプを斜めにカットした形状を有し、鋭角のエッジを貫通孔１４ｈ越しに開口２１に刺し込むことで、フィルム２１ａが突き破られる。先鋭端部１２ａには、楕円の引込口ＩＯが形成されている。この引込口ＩＯにより、飲料パック用アダプタ１０をセットした図示の状態の飲料パック２０を上下逆さまにすることで、内部の栄養飲料をアダプタ本体１２を介してカテーテル（図示を省略）に吐出させることができる。先鋭端部１２ａの根本側、より具体的には環状部材１２ｂと引込口ＩＯとの中間位置には、残液排出用の排出口ＤＨが形成されている。図３は、先鋭端部１２ａの先端部の側面図であり、排出口ＤＨの配置を示している。この排出口ＤＨにより、飲料パック２０中の栄養飲料をほぼ全部カテーテルに吐出させるができ、栄養飲料の残留を防止して無駄を回避することができる。
【００２２】
環状部材１２ｂは、先鋭端部１２ａの根本から半径方向外側に延びる鍔部１２ｂａと、この鍔部１２ｂａの外縁から下方に延びるカラー１２ｂｂとからなる。先鋭端部１２ａと環状部材１２ｂとの間の空間、すなわちカラー１２ｂｂの内側には、連結部材１４の筒状部１４ａが嵌り込む。この際、筒状部１４ａの外周に形成された第１係止部である雄ねじ１４ｓとカラー１２ｂｂの内面に形成された第２係止部である雌ねじ１２ｓとが螺合して、アダプタ本体１２が連結部材１４に固定される。
【００２３】
鍔部１２ｂａの付け根の下部には、環状のリブ１２ｂｃが形成されている。このリブ１２ｂｃは、筒状部１４ａの先端内側に形成された環状の窪み１４ａｃに嵌ってこれに密着する。これらのリブ１２ｂｃ及び窪み１４ａｃは、シール部を構成し、筒状部１４ａの外側に栄養飲料が漏れだすことを防止する。筒状部１４ａの根本内側にも、環状のリブ１４ｅが形成されている。このリブ１４ｅは、シール部として環状部材１２ｂの外周に密着し、筒状部１４ａの外側に栄養飲料が漏れだすことを防止する。
【００２４】
ジョイント部１２ｃは、僅かに先細りとなっており、その外周面に、複数の環状のリッジＪＲが形成されている。これらのリッジＪＲにより、ジョイント部１２ｃの縦断面が鋸歯状となるので、ジョイント部１２ｃを図１のチューブ３０に接続する際に、弾性変形したチューブ３０の一端３０ａの内面にリッジＪＲが密着してこの部分における液漏れを防止するとともに、上下逆さまにした状態の飲料パック２０に固定したアダプタ本体１２からチューブ３０が脱落することを防止できる。
【００２５】
なお、先鋭端部１２ａに設けた引込口ＩＯや排出口ＤＨは、ジョイント部１２ｃを貫通する流路１２ｇに連通しており、この流路１２ｇを介して飲料パック２０中の栄養飲料を外部に引き出せるようになっている。
【００２６】
以下、飲料パック用アダプタ１０の取付け作業について説明する。まず、滅菌した連結部材１４を用意し、裏面の保護シールを除去して粘着材層１４ｃを露出させる。次に、貫通孔１４ｈと開口２１とを位置合わせした状態で、連結部材１４を飲料パック２０に張り付けて固定する。次に、滅菌したアダプタ本体１２を準備し、これを連結部材１４に固定する。具体的には、先鋭端部１２ａを筒状部１４ａに設けた貫通孔１４ｈを介して開口２１に差し込んで環状部材１２ｂを適当な力で時計方向に回転させる。これより、環状部材１２ｂと筒状部１４ａが螺合してアダプタ本体１２が連結部材１４にロックされ、先鋭端部１２ａがフィルム２１ａを破って開口２１に挿入される。この際、シール部であるリブ１２ｂｃ、窪み１４ａｃ及びリブ１４ｅによって周囲の液密が保たれる。また、固定手段である環状部材１２ｂや筒状部１４ａによって液密が確実になるとともにアダプタ本体１２の脱落を確実に防止することができる。
【００２７】
図４は、図１及び図２に示す飲料パック用アダプタ１０を利用した飲料供給器具１００を説明する図である。飲料パック２０に固定された飲料パック用アダプタ１０から延びるチューブ３０の途中には、通常の輸液セットと同様に点滴筒３１を設けている。また、点滴筒３１の下方には、栄養飲料の供給速度を調整するためのクレンメ５０が取り付けられている。チューブ３０の先端には、ジョイント３３が形成されており、このジョイント３３を介して細管であるカテーテル６０が接続される。カテーテル６０は、患者ＰＴの鼻孔から挿入され、胃や腸まで延びる。
【００２８】
飲料パック２０は、専用のスタンド７０に固定されている。このスタンド７０は、支柱７１の上部に取り付けた背板７２と、背板７２の中部から延びる一対のアーム７３、７４と、背板７２の下部から延びる支持部材７５とを備える。飲料パック２０は、アーム７３、７４によって横方向に保持され、支持部材７５によって下方から支持されている。なお、スタンド７０は、上記のような構造である必要はなく、例えば飲料パック２０を逆さまにして吊り下げるだけのものであっても構わない。
【００２９】
以下、飲料供給器具１００の組立と取付けについて説明する。まず、飲料パック２０にアダプタ本体１２を固定した後（図２参照）、アダプタ本体１２のジョイント部１２ｃにチューブ３０の一端を接続し、チューブ３０の他端にカテーテル６０を接続して、飲料供給器具１００の組立を完了する。次に、組み立てた飲料供給器具１００をスタンド７０に取り付ける。具体的には、飲料パック２０を上下逆にしてアーム７３、７４の上方に移動させ、アーム７３、７４の隙間にチューブ３０を通して後、飲料パック２０を降ろせば、飲料パック２０をアーム７３、７４と支持部材７５とによって所望の高さ位置に保持することができる。この状態で、クレンメ５０を調節してチューブ３０中の空気をパージし、カテーテル６０を患者ＰＴの鼻孔から挿入する。さらに、クレンメ５０を調節してカテーテル６０からの栄養飲料の吐出量を調節する。この際、飲料パック２０の底部（上側）の適当な箇所に穿孔したり適当な部分を切除することで、飲料パック２０の空気抜きが可能になるので、カテーテル６０から栄養飲料を円滑に吐出させることができる。なお、飲料パック２０が空になった場合、スタンド７０から飲料パック２０を取り外してチューブ３０を抜く。１つの飲料パック２０による摂取量では不足な場合、新たな飲料パック２０を準備し、上記と同様にアダプタ本体１２を固定する。そして、チューブ３０の一端を新たなアダプタ本体１２のジョイント部１２ｃ（図２参照）に再度接続する。以後は上記と同様に、クレンメ５０を調節してカテーテル６０からの栄養飲料の吐出量を調節する。
〔第２実施形態〕
以下、第２実施形態の飲料パック用アダプタについて説明する。本実施形態の飲料パック用アダプタは、第１実施形態に係る飲料パック用アダプタのアダプタ本体を変形したものである。
【００３０】
図５は、変形したアダプタ本体１１２の一部を説明する側面図である。この場合、アダプタ本体１１２の先鋭端部１１２ａに排出溝ＤＳを設けている。この排出溝ＤＳによっても、飲料パック２０中の栄養飲料をほぼ全部カテーテルに吐出させるができ、栄養飲料の残留を防止して無駄を回避することができる。
【００３１】
以上実施形態に即して本発明を説明したが、本発明は、上記実施形態に限定されるものではない。例えば上記実施形態では、飲料パック２０の開口２１に設けたフィルム２１ａにアダプタ本体１２の先鋭端部１２ａを突き刺しているが、飲料パック２０の開口２１がプルタブでシールされている場合、このプルタブを剥がして開口２１を開放した後、この周囲に連結部材１４を固定し、アダプタ本体１２の先鋭端部１２ａを貫通孔１４ｈと開口２１とに差し込んで環状部材１２ｂをねじ回して固定すれば足る。
【００３２】
また、上記実施形態では、図４に示すように、飲料供給器具１００によって、経鼻的に栄養飲料を投与する場合について説明したが、経胃ろうルート若しくは経腸ろうルートで患者ＰＴに経腸栄養を長期的に投与することもできる。すなわち、患者ＰＴの腹部の適所に胃ろうや腸ろうを形成し、これらの胃ろうや腸ろうにカテーテル６０を取り付けることによって、飲料パック２０に取り付けた飲料パック用アダプタ１０、チューブ３０及びカテーテル６０を介して、患者ＰＴの胃や腸に栄養飲料等を適当な量及びタイミングで供給することができる。
【００３３】
さらに、上記実施形態では、狭義の飲料パックを用いた飲料の径鼻・経腸摂取について説明したが、本発明は、このような径鼻や経腸の摂取に限らず、広く静脈等の他の部位に栄養剤等を導入する経管摂取に適用することができる。この場合、栄養剤等を収容した広義の飲料パックに対し上記実施形態で説明したようなアダプタを取り付けることで、患者等に栄養剤を適宜経管摂取させることができる。
【００３４】
【発明の効果】
以上の説明から明らかなように、本発明の飲料パック用アダプタによれば、飲料パックの開口すなわちアダプタ本体部材の周囲から栄養飲料等が漏れ出すことを防止することができ、これにカテーテルを接続すれば、飲料パック中の栄養飲料等を下方に位置するカテーテルの先端から吐出させることができる。すなわち、飲料パックから別に用意したバッグに移すことなく患者等に栄養飲料等を適宜投与することができるので、栄養飲料等の投与の作業性を高めることができ、有害な細菌等の混入を防止して栄養飲料等の衛生的摂取が可能になる。
【００３５】
また、本発明の飲料供給器具によっても、飲料パックからバッグに移すことなく臥した状態の患者等に栄養飲料等を適宜投与することができるので、栄養飲料等の投与の作業性を高めることができ、有害な細菌等の混入を防止して栄養飲料等の衛生的摂取が可能になる。
【図面の簡単な説明】
【図１】第１実施形態に係る飲料パック用アダプタの構造及び取付けを説明する斜視図である。
【図２】図１の飲料パック用アダプタの構造及び固定状態を説明する側方断面図である。
【図３】図２の飲料パック用アダプタの先鋭端部を説明する側面図である。
【図４】図１の飲料パック用アダプタを組み込んだ飲料供給器の構造及び使用方法を概念的に説明する図である。
【図５】第２実施形態に係る飲料パック用アダプタを説明する側面図である。
【符号の説明】
１０      飲料パック用アダプタ
１２      アダプタ本体
１２ａ    先鋭端部
１２ｂ    環状部材
１２ｃ    ジョイント部
１４      連結部材
１４ａ    筒状部
１４ｂ    フランジ部
１４ｈ    貫通孔
２０      飲料パック
２１      開口
３０      チューブ
１００      飲料供給器具
ＩＯ      引込口
ＪＲ      リッジ
【図１】
0003954372.tif 000002
【図２】
0003954372.tif 000003
【図３】
0003954372.tif 000004
【図４】
0003954372.tif 000005
【図５】
0003954372.tif 000006